(57)【特許請求の範囲】
【請求項１】
通水路が形成された弁支持部材と、弁支持部材に且つ通水路の二次側端部よりも一次側に装着された弁座と、弁支持部材の二次側端部に摺動可能に外嵌合すると共に筒部が通水路の二次側端部を覆った状態で開放端が弁座に当接可能な有底筒状の弁体と、弁支持部材と弁体との摺接部をシールするシール部材と、弁体内に配設され弁体を弁座から離隔する方向へ付勢する弾性体とを備えることを特徴とする減圧弁。
【請求項２】
弾性体は弁体内に密封された空気であることを特徴とする請求項１に記載の減圧弁。
【請求項３】
弾性体は弁体内に密封された不活性ガスであることを特徴とする請求項１に記載の減圧弁。
【請求項４】
弾性体は弁体内に充填された圧縮性部材であることを特徴とする請求項１に記載の減圧弁。
【請求項５】
弾性体はバネであり、弁体の内部空間を大気開放する通路が弁支持部材に形成されていることを特徴とする請求項１に記載の減圧弁。
【請求項６】
弁座は、弁体開放端の外周部もしくは内周部と水密に当接可能であることを特徴とする請求項１乃至５の何れか１項に記載の減圧弁。
【請求項７】
弁座は弁体開放端の内周部に当接し、弁座の弁体開放端との当接部が、弁体開放端から遠ざかる方向へ向けて径方向外方へ傾斜していることを特徴とする請求項６に記載の減圧弁。
【請求項８】
弁座は、弁体開放端の端面と水密に当接可能であることを特徴とする請求項１乃至７の何れか１項に記載の減圧弁。
【請求項９】
弁支持部材に一体に組み付けられると共に、弁体の移動を制限する弁受け部材を備えることを特徴とする請求項１乃至８の何れか１項に記載の減圧弁。
【請求項１０】
弁受け部材は弁体に相対摺動可能に内嵌合又は外嵌合する有底筒体を有し、当該有底筒体の閉鎖端と弁体の閉鎖端との間に感圧室を形成することを特徴とする請求項９に記載の減圧弁。
【請求項１１】
弁受け部材は相対摺動可能に弁体に外嵌合し、弁体の弁受け部材との嵌合部は他部に比べて小径に形成されていることを特徴とする請求項９に記載の減圧弁。
【請求項１２】
弁受け部材と弁体との摺接部に、切り欠きを有するリングが配設されていることを特徴とする請求項１０又は１１に記載の減圧弁。
【請求項１３】
弁受け部材と弁体との摺接部にシール部材が配設され、弁受け部材のシール部材に当接せず且つ感圧室に連通可能な部位に小径穴が形成されていることを特徴とする請求項１０又は１１に記載の減圧弁。
【発明の詳細な説明】
【技術分野】
【０００１】
本発明は、配管内に装着される弁であって、配管内の二次側圧力（弁よりも下流側の圧力）を所定の圧力以下に制御する減圧弁に関する。
【背景技術】
【０００２】
図１に示すように、筒状のケーシング１と、板状部２ａと環状部２ｂと通水路２ｃとを有しケーシング１の一端に内嵌合する弁支持部材２と、弁支持部材２に装着された弁座３と、一端４ａに有する外フランジ４ｂがケーシング１の他端に摺動可能に内嵌合し他端４ｃが環状部２ｂに摺動可能に挿通された筒状の弁体４と、ケーシング１と環状部２ｂと外フランジ４ｂと弁体４の筒部とが形成する室５内に配設されると共に外フランジ４ｂを弁座３から離隔する方向へ付勢するバネ６とを備え、板状部２ａを上流側（以下一次側と呼ぶ）へ差し向けて水道配管に装着される減圧弁αが特許文献１に開示されている。減圧弁αにおいては、通水路２ｃと弁体４の内部空間とを通って一次側から下流側（以下二次側と呼ぶ）へ水が流れる。一次側の水道配管内圧（以下一次圧と呼ぶ）が増加するのに伴って二次側の水道配管内圧（以下二次圧と呼ぶ）が増加すると、二次圧が外フランジ４ｂに印加する付勢力が、バネ６が外フランジ４ｂに印加する付勢力と釣り合う位置まで、弁体４が移動し、弁体４の他端４ｃが弁座３に接近して通水路２ｃの流路面積が減少する。この結果、二次圧が所定値近傍まで減圧される。一次圧が更に増加すると、弁体４の他端４ｃが弁座３に当接して通水路２ｃを閉鎖し、一次側から二次側への通水が遮断される。この結果、二次圧が所定値に維持される。
図２に示すように、筒状のケーシング７と、板状部８ａと環状部８ｂと通水路８ｃとを有しケーシング７の一端に内嵌合する弁支持部材８と、弁支持部材８に装着された弁座９と、一端１０ａが微少環状隙間を隔ててケーシング７の他端近傍部に内嵌合し、一端１０ａ近傍に有する外フランジ１０ｂがケーシング７の他端近傍部に摺動可能に内嵌合し、他端１０ｃが環状部８ｂに摺動可能に挿通された筒状の弁体１０と、ケーシング７と環状部８ｂと外フランジ１０ｂと弁体１０の筒部とが形成する室１１内に配設されると共に外フランジ１０ｂを弁座９から離隔する方向へ付勢するバネ１２とを備え、板状部８ａを一次側へ差し向けて水道配管に装着される減圧弁βが特許文献２に開示されている。減圧弁βにおいては、通水路８ｃと弁体１０の内部空間とを通って一次側から二次側へ水が流れる。一次圧が増加するのに伴って二次圧が増加すると、二次圧が外フランジ１０ｂに印加する付勢力が、バネ６が外フランジ１０ｂに印加する付勢力と釣り合う位置まで、弁体１０が移動し、弁体１０の他端１０ｃが弁座９に接近して通水路８ｃの流路面積が減少する。この結果、二次圧が所定値近傍まで減圧される。一次圧が更に増加すると、弁体１０の他端１０ｃが弁座９に当接して通水路８ｃを閉鎖し、一次側から二次側への通水が遮断される。この結果、二次圧が所定値に維持される。二次圧は、弁体１０の一端１０ａとケーシング７との間の微少環状隙間を通って外フランジ１０ｂに印加されるので、二次側に配設された開閉弁の閉鎖により二次圧が急増しても、二次圧が外フランジ１０ｂに印加する付勢力は、前記微少環状隙間の圧損により急激には増加せず、通水路８ｃは急激には閉鎖されない。従って、二次側に配設された開閉弁の閉鎖時に、一次側に水撃作用が発生するおそれは無い。
【特許文献１】
特開平７−３０２１２３号
【特許文献２】
特開２０００−３２０７２３
【発明の開示】
【発明が解決しようとする課題】
【０００３】
減圧弁α、βには以下の問題がある。
（１）バネ６、１２を収容する室５、１１への水の侵入を阻止するために、環状部２ｂ、８ｂとケーシング１、７との当接部にシール部材１３、１４を配設し、環状部２ｂ、８ｂと弁体４、１０との摺接部にシール部材１５、１６を配設し、外フランジ４ｂ、１０ｂとケーシング１、７との摺接部にシール部材１７、１８を配設する必要がある。従って、シール部材数が多く製造コストが高い。
（２）一次圧が増加する際には、二次圧の上昇により弁体４、１０が弁座３、９へ接近して通水路２ｃ、８ｃが狭まり、一次圧が減少する際には、二次圧の下降により弁体４、１０が弁座３、９から離れる。シール部材数が多く、弁体４、１０の弁座３、９への接近動作、離隔動作に対するシール部材の摺動抵抗が大きいので、一次圧が増加する際には二次圧は高めに制御され、一次圧が減少する際には二次圧は低めに制御される。この結果、図３に示すように、一次圧と二次圧との相関にヒステリシスが生じ、二次圧の正確な制御が妨げられる。
（３）バネ６、１２を収容する室５、１１を弁体４、１０の径方向外方に形成しているので、弁の径方向寸法が大きく、水道配管に組み込み難い。
本発明は上記問題に鑑みてなされたものであり、シール部材数が少なくて製造コストが安く、一次圧と二次圧との相関におけるヒステリシスの発生が抑制され、径方向寸法が小さくて水道配管に組み込み易い減圧弁を提供することを目的とする。
【課題を解決するための手段】
【０００４】
本発明においては、通水路が形成された弁支持部材と、弁支持部材に且つ通水路の二次側端部よりも一次側に装着された弁座と、弁支持部材の二次側端部に摺動可能に外嵌合すると共に筒部が通水路の二次側端部を覆った状態で開放端が弁座に当接可能な有底筒状の弁体と、弁支持部材と弁体との摺接部をシールするシール部材と、弁体内に配設され弁体を弁座から離隔する方向へ付勢する弾性体とを備えることを特徴とする減圧弁を提供する。
本発明に係る減圧弁においては、弁支持部材に形成された通水路と、減圧弁が装着される水道配管と弁体周壁との間に形成される環状通水路とを通って一次側から二次側へ水が流れる。一次圧が増加するのに伴って二次圧が増加すると、二次圧が弁体の閉鎖端に印加する付勢力が、弾性体が弁体に印加する付勢力と釣り合う位置まで、弁体が移動し、弁体の開放端が弁座に接近して弁体支持部に形成された通水路の二次側端部を部分的に覆い該部の流路面積を減少させる。この結果、前記通水路での圧損が増加して二次圧が所定値近傍まで減圧される。一次圧が更に増加すると、弁体の筒部が通水路の二次側端部を覆った状態で弁体の開放端が弁座に当接して弁体支持部材に形成された通水路を閉鎖し、一次側から二次側への通水が遮断される。この結果、二次圧が所定値に維持される。
本発明に係る減圧弁においては、弁支持部材と弁体との摺接部をシールするシール部材のみにより、弁体を付勢する弾性体を収容する空間をシールすることができる。従って、本発明に係る減圧弁はシール部材数が少なく、製造コストが低い。
本発明に係る減圧弁においては、弾性体を収容する空間をシールするシール部材数が少なく弁体の弁座への接近動作、離隔動作に対するシール部材の摺動抵抗が小さいので、一次圧と二次圧との相関におけるヒステリシスの発生が抑制される。この結果、二次圧の正確な制御が可能となる。
本発明に係る減圧弁においては、弁体を付勢する弾性体を収容する空間を弁体内に形成しているので、弁の径方向寸法が小さく、弁が小型化される。従って、本発明に係る減圧弁は水道配管に組み込み易い。弁の径方向外方に環状の通水路が形成されるので、弁が小型化されても必要な流量は確保できる。
【０００５】
本発明の好ましい態様においては、弾性体は弁体内に密封された空気である。
本発明の好ましい態様においては、弾性体は弁体内に密封された不活性ガスである。
弁体内に密封された空気や不活性ガスを弾性体として使用することにより、部品数が減少し、減圧弁の組立性が向上する。不活性ガスは水道水に溶解しないので、長期に亘って弾性体としての機能を維持することができる。不活性ガスの使用により、弁支持部材や弁体の腐食が抑制される。
本発明の好ましい態様においては、弾性体は弁体内に充填された圧縮性部材である。
弁体内に充填された圧縮性部材を弾性体として使用することにより、弁体内に密封された気体を弾性体として使用する場合に比べて、弾性体の付勢力への通水温度の影響が減少し、二次圧の制御が正確になる。
本発明の好ましい態様においては、弾性体はバネであり、弁体の内部空間を大気開放する通路が弁支持部材に形成されている。
バネを弾性体として使用しても良い。弁体の内部空間を大気開放すれば、弁体を弁座から遠ざける付勢力はバネの付勢力のみになるので、弁体を弁座から遠ざける付勢力に対する通水温度の影響が減少し、二次圧の制御が正確になる。
【０００６】
本発明の好ましい態様においては、弁座は、弁体開放端の外周部もしくは内周部と水密に当接可能である。
一次圧の上昇により二次圧が所定値に達すると、弁支持部材に形成された通水路の二次側端部を弁体の筒部が覆った状態で弁体開放端が弁座に当接し、弁支持部材に形成された通水路が閉鎖されて、水道配管の一次側と二次側とが遮断される。この結果、一次圧が更に上昇しても二次圧は所定値に維持される。弁座と弁体開放端の外周部もしくは内周部とが当接すれば、水道配管の一次側と二次側とが遮断された後も、遮断状態を維持しつつ弁体の移動が継続し、二次側水道配管の内部空間の体積が増加して当該空間が減圧されるので、一次側と二次側とが遮断された瞬間よりも二次圧を低下させることができる。
弁座と弁体開放端の内周部とが当接する場合には、配管の一次側と二次側とが遮断された瞬間から、一次圧は弁体開放端の端面に作用しないので、前記遮断を維持するのに必要な二次圧を低くすることができる。従って、二次側の水道配管の応力状態が緩和され、また二次側の水道配管の素材、二次側の水道配管に接続される機器類等の選択の自由度が増す。
本発明の好ましい態様においては、弁座は弁体開放端の内周部に当接し、弁座の弁体開放端との当接部が、弁体開放端から遠ざかる方向へ向けて径方向外方へ傾斜している。
弁座の弁体開放端との当接部が、弁体開放端から遠ざかる方向へ向けて径方向外方へ傾斜していれば、弁体開放端が弁座に当接すると、弁体開放端の内周部エッジが弁座に食い込む。この結果、水道配管の一次側と二次側とが遮断された状態で、一次圧が弁体開放端の端面に作用する事態の発生が確実に阻止され、前記遮断を維持するのに必要な二次圧が確実に低くなる。
【０００７】
本発明の好ましい態様においては、弁座は弁体開放端の端面と水密に当接可能である。
一次圧の上昇により二次圧が所定値に達すると、弁支持部材に形成された通水路の二次側端部を弁体の筒部が覆った状態で弁体開放端の端面が弁座に当接し、弁支持部材に形成された通水路が閉鎖されて、配管の一次側と二次側とが遮断される。この結果、一次圧が更に上昇しても二次圧は所定値に維持される。弁座が、弁体開放端の内周部もしくは外周部に水密に当接可能であり、且つ弁体開放端の端面に当接可能である場合には、弁体開放端が弁座に当接すると配管の一次側と二次側とが確実に遮断され、二次圧が確実に所定値に維持される。
【０００８】
本発明の好ましい態様においては、減圧弁は、弁支持部材に一体に組み付けられると共に弁体の移動を制限する弁受け部材を備える。
弁受け部材により、弁体の弁支持部材からの離脱が防止される。弁受け部材を弁支持部材に一体に組み付けることにより、弁受け部材を別途水道配管に装着する必要がなくなり、減圧弁の水道配管への装着作業が容易になる。
本発明の好ましい態様においては、弁受け部材は、弁体に相対摺動可能に内嵌合又は外嵌合する有底筒体を有し、当該有底筒体の閉鎖端と弁体の閉鎖端との間に感圧室を形成する。
二次側の水道配管内の水が、弁受け部材の有底筒体と弁体との摺接部を介して感圧室へ流入し、弁体の閉鎖端に付勢力を印加する。二次側に配設された開閉弁の閉鎖により二次圧が急増しても、前記摺接部の圧損により感圧室の内圧は急増せず、当該内圧が弁体の閉鎖端に印加する付勢力は急増せず、弁支持部材に形成された通水路は急激には閉鎖されない。従って、二次側に配設された開閉弁の閉鎖時に、一次側に水撃作用が発生するおそれは無い。
弁受け部材の有底筒体が弁体に相対摺動可能に外嵌合する場合には、内嵌合する場合に比べて感圧室の体積が増加し、感圧室の体積と前記摺接部を流れる水の流量との比（感圧部の体積／摺接部を流れる水の流量）が増加する。この結果、感圧室の内圧上昇速度が低下し、当該内圧が弁体の閉鎖端に印加する付勢力の増加速度が低下し、弁支持部材に形成された通水路の閉鎖速度が低下し、二次側に配設された開閉弁が閉鎖される際の一次側での水撃作用の発生が更に効果的に抑制される。
弁受け部材の有底筒体が弁体に相対摺動可能に内嵌合する場合には、前記摺接部の端部は一次側へ向かないので、一次側から二次側へ通水されている時に、動圧を有する水流が前記摺接部を通って感圧室へ流入する事態は発生し難い。この結果、一次側から二次側へ通水したい時に、感圧室の内圧が増加して弁体の開放端が弁座に接近し、通水の流量が低下する事態の発生が防止される。
本発明の好ましい態様においては、弁受け部材は相対摺動可能に弁体に外嵌合し、弁体の弁受け部材との嵌合部は他部に比べて小径に形成されている。
弁受け部材の有底筒体が相対摺動可能に弁体に外嵌合する場合には、弁体の弁受け部材との嵌合部を他部に比べて小径に形成すれば、前記摺接部の端部は一次側へ向かない。従って、一次側から二次側へ通水されている時に、動圧を有する水流が前記摺接部を通って感圧室へ流入する事態は発生し難い。この結果、一次側から二次側へ通水したい時に、感圧室の内圧が増加して弁体の開放端が弁座に接近し、通水の流量が低下する事態の発生が防止される。
本発明の好ましい態様においては、弁受け部材と弁体との摺接部に、切り欠きを有するリングが配設されている。
弁受け部材と弁体との摺接部に切り欠きを有するリングを配設し、リングの切り欠きのみを通って二次側の水道配管内の水を感圧室へ流入させる場合には、リングの切り欠きを精度良く形成すれば、感圧室の内圧上昇速度を確実に低減させることができ、二次側に配設された開閉弁の閉鎖時に、一次側に水撃作用が発生するのを確実に防止することができる。従って、弁受け部材と弁体との摺接部の隙間を高精度に形成する必要が無くなる。弁受け部材と弁体との摺接部の隙間を高精度に形成する手間に比べて、リングの切り欠きを精度良く形成する手間は遥かに少ない。従って、減圧弁の加工性が向上する。
本発明の好ましい態様においては、弁受け部材と弁体との摺接部に、シール部材が配設され、弁受け部材の弁体閉鎖端に対峙する部位に小径穴が形成されている。
弁受け部材と弁体との摺接部の隙間を高精度に形成することが困難な場合でも、小径穴を高精度に形成すれば、感圧室の内圧上昇速度を確実に低減させることができ、二次側に配設された開閉弁の閉鎖時に、一次側に水撃作用が発生するのを確実に防止することができる。
【発明を実施するための最良の形態】
【０００９】
本発明の第１実施例を説明する。図４に示すように、減圧弁Ａは、一体形成された大径部円柱部１９ａと小径円柱部１９ｂとを有する弁支持部材１９を備えている。小径円柱部１９ｂから離隔する側の大径部１９ａの端面から小径円柱部１９ｂの基部近傍部周側面へ延びる通水路１９ｃが弁支持部材１９に形成されている。大径円柱部１９ａの周側面に形成された周溝に円環状のシール部材２０が収容されている。小径円柱部１９ｂの基部に円環状の弁座２１が外嵌合している。円環部材２２が弁座２１に緊密に外嵌合している。小径円柱部１９ｂに、有底円筒状の弁体２３が軸方向へ摺動可能に外嵌合している。小径円柱部１９ｂと弁体２３との摺接部は、小径円柱部１９ｂの周側面に形成された周溝に収容された円環状のシール部材２４により気密にシールされている。弁体２３内に、弁体２３を付勢する弾性体として、空気が密封されている。弁体２３の閉鎖端２３ａに隣接して、円板状の弁受け部材２５が配設されている。弁受け部材２５に通水路２５ａが形成されている。弁受け部材２５と円環部材２２とは図示しない柱部を介して一体化されており、且つ図示しない係止部を介して弁支持部材１９に一体に組み付けられている。
減圧弁Ａは、弁支持部材１９にシール部材２０、２４と弁座２１とを装着し、常温（約２５℃）で弁体２３を小径円柱部１９ｂに装着し、円環部材２２と弁受け部材２５とを弁支持部材１９に装着することにより組み立てられ、ユニット化されている。
減圧弁Ａは、大径円柱部１９ａの小径円柱部１９ｂから離隔する側の端面を一次側へ差し向けた状態で、水道配管１００に装着されている。水道配管１００と大径円柱部１９ａの当接部は、シール部材２０により、二次側が一次側に対して水密にシールされている。
減圧弁Ａにおいては、弁支持部材１９に形成された通水路１９ｃと、水道配管１００と弁体２３の周壁との間に形成される環状通水路１０１と、弁受け部材２５に形成された通水路２５ａとを通って、一次側から二次側へ水が流れる。一次圧Ｐが増加するのに伴って二次圧Ｐ′が増加すると、二次圧Ｐ′が弁体２３の閉鎖端２３ａに印加する付勢力が、弁体２３内に密封された空気が弁体２３の閉鎖端２３ａに印加する付勢力と釣り合う位置まで、弁体２３が移動し、弁体２３の開放端が弁座２１に接近して、小径円柱部１９ｂの基部近傍部周側面に形成された通水路１９ｃの二次側端部を部分的に覆い該部の流路面積を減少させる。この結果、通水路１９ｃでの圧損が増加して二次圧Ｐ′が所定値近傍まで減圧される。一次圧Ｐが更に増加すると、図５に示すように、弁体２３の円筒部が通水路１９ｃの二次側端部を覆った状態で、弁体２３開放端の端面が弁座２１に当接して通水路１９ｃを閉鎖し、一次側から二次側への通水が遮断される。この結果、二次圧Ｐ′が所定値に維持される。
減圧弁Ａにおいては、小径円柱部１９ｂと弁体２３との摺接部をシールするシール部材２４のみにより、弁体２３を付勢する弾性体である空気を収容する空間をシールすることができる。従って、減圧弁Ａはシール部材数が少なく、製造コストが低い。
減圧弁Ａにおいては、弁体２３を付勢する弾性体である空気を収容する空間をシールするシール部材数が少なく、また当該シール部材の径が小さくシール部材と弁体２３との摺接面積が狭いので、弁体２３の弁座２１への接近動作、離隔動作に対するシール部材の摺動抵抗が小さい。この結果、一次圧Ｐと二次圧Ｐ′との相関におけるヒステリシスの発生が抑制される。この結果、二次圧Ｐ′の正確な制御が可能となる。
弁体２３を付勢する弾性体である空気を収容する空間を弁体２３内に形成しているので、減圧弁Ａの径方向寸法は小さく、減圧弁Ａは小型化されている。従って、減圧弁Ａは水道配管１００に組み込み易い。また減圧弁Ａはユニット化されているので、水道配管１００に組み込み易い。減圧弁Ａの径方向外方に環状通水路１０１が形成されるので、減圧弁Ａが小型化されても必要な流量は確保できる。
弁体２３に弾性体として空気を密封することにより、バネ等の部材を配設する必要が無くなり、部品数が減少して、減圧弁Ａの組立性が向上する。空気とバネとを併用しても良い。
弁体２３の内部空間の体積、弁体２３を小径円柱部１９ｂに装着する際の温度、気圧等を適宜調節することにより、減圧弁Ａ稼動時の弾性体の付勢力を調節することができ、ひいては二次圧Ｐ′の前記所定値を調節することができる。弁体２３内に空気を充填し且つバネを配設すれば、二次圧Ｐ′の前記所定値を高く設定することができる。
弁受け部材２５により、弁体２３の弁支持部材１９からの離脱が防止される。弁受け部材２５を弁支持部材１９に一体に組み付けることにより、弁受け部材２５を水道配管１００に別途装着する必要がなくなり、減圧弁Ａの水道配管１００への装着作業が容易になる。
【００１０】
本発明の第２実施例を説明する。減圧弁Ｂは、弁体２３を付勢する弾性体として、空気に代えて不活性ガスを備えている。上記を除いて、減圧弁Ｂの構成は減圧弁Ａの構成と同一である。不活性ガスは水道水に溶解しないので、長期に亘って弾性体としての機能を維持することができる。不活性ガスの使用により、弁支持部材１９や弁体２３の腐食が抑制される。
【００１１】
本発明の第３実施例を説明する。図６に示すように、減圧弁Ｃは、弁体２３を付勢する弾性体として、弁体２３内に充填された独立気泡を含有する樹脂等から成る圧縮性部材２６を備えている。圧縮性部材２６により弁体２３内から空気が排除されている。空気に代えて圧縮性部材２６を弁体２３内に充填した点を除いて、減圧弁Ｃの構成は減圧弁Ａの構成と同一である。
弁体２３内に充填された圧縮性部材２６を弾性体として使用することにより、弁体２３内に密封された気体を弾性体として使用する場合に比べて、弾性体の付勢力への通水温度の影響が減少し、二次圧Ｐ′の制御が正確になる。圧縮性部材２６は水道水に溶解しないので、長期に亘って弾性体としての機能を維持することができる。圧縮性部材２６の弾性特性を調節することにより、二次圧Ｐ′の前記所定値を調節することができる。
【００１２】
本発明の第４実施例を説明する。図７に示すように、減圧弁Ｄは、弁体２３を付勢する弾性体として、弁体２３内に配設されたバネ２７を備えている。弁体２３の内部空間を大気開放する通路２８が弁支持部材１９に形成されている。水道配管１００には通路２８に連通する貫通穴１０２が形成されている。通路２８の形成を容易化するために、大径円柱部１９ａが延長されている。通路２８の被水を防止するために、大径円柱部１９ａと水道配管１００の当接部に円環状のシール部材２９が追加配設されている。上記を除き、減圧弁Ｄの構成は減圧弁Ａの構成と同一である。
弁体２３を付勢する弾性体としてバネ２７は好適である。弁体２３の内部空間を大気開放すれば、弁体２３を弁座２１から遠ざける付勢力はバネ２７の付勢力のみになるので、弁体２３を弁座２１から遠ざける付勢力に対する通水温度の影響が減少し、二次圧Ｐ′の制御が正確になる。バネ２７の弾性特性を調節することにより、二次圧Ｐ′の前記所定値を調節することができる。
減圧弁Ａをシャワーホース２００の基部に装着したシャワー装置３００を図８に示す。シャワー装置３００においては、減圧弁Ａは、配管の段部によって一次側と二次側とから挟持されて、配管に固定されている。減圧弁Ａはシャワーホース２００の端部に組み込み易い。減圧弁Ａにおいては、一次圧と二次圧との相関におけるヒステリシスが小さいので、二次圧が確実に制御される。従って、シャワーホース２００に過剰な給水圧が加わるおそれは無い。シャワーヘッド３０１に開閉動作を素早く行なえる開閉弁３０２を設けた場合、減圧弁Ａの前記効果が顕著に発揮される。減圧弁Ａに代えて減圧弁Ｂ〜Ｄを使用することはもちろん可能である。
図４〜７の減圧弁Ａ〜Ｄも、図８の減圧弁Ａと同様の態様で、水道配管１００に固定されている。
【００１３】
本発明の第５実施例を説明する。図９、図１０（ａ）、（ｂ）に示すように、減圧弁Ｅにおいては、弁座２１に代えて凸に湾曲した座面３０ａを有する弁座３０が配設されている。弁座３０の湾曲した座面３０ａは、弁体２３の開放端の内周部と水密に当接可能である。弁座２１に代えて弁座３０を配設して点を除いて、減圧弁Ｅの構成は減圧弁Ａの構成と同様である。減圧弁Ｅは、水道配管１００を構成するケーシング内に予め組み込まれている。当該ケーシングは、他の水道配管に接続されて水道配管の一部を形成する。
一次圧Ｐの上昇により二次圧Ｐ′が所定値に達すると、弁支持部材１９に形成された通水路１９ｃの二次側端部を弁体２３の筒部が覆った状態で弁体２３開放端内周部が弁座３０の凸に湾曲した座面３０ａに当接し、通水路１９ｃが閉鎖されて、水道配管１００の一次側と二次側とが遮断される。この結果、一次圧Ｐが更に上昇しても二次圧Ｐ′は所定値に維持される。弁座３０の凸に湾曲した座面３０ａと弁体２３開放端の内周部とが当接すれば、水道配管１００の一次側と二次側とが遮断された後も、遮断状態を維持しつつ弁体２３の移動が継続し、水道配管１００の二次側内部空間の体積が増加して当該空間が減圧されるので、一次側と二次側とが遮断された瞬間よりも二次圧Ｐ′を低下させることができる。
弁座３０の凸に湾曲した座面３０ａと弁体２３の開放端の内周部とが当接する場合には、水道配管１００の一次側と二次側とが遮断された瞬間から、一次圧Ｐは弁体２３開放端の端面２３ｂに作用しないので、前記遮断を維持するのに必要な二次圧Ｐ′を低くすることができる。この結果、二次側の水道配管の応力状態が緩和され、また二次側の水道配管の素材、二次側の水道配管に接続される機器類等の選択の自由度が増す。
二次側の水道配管に装着された開閉弁が閉じて、二次圧Ｐ′が上昇する場合等においては、水道配管１００の一次側と二次側とを遮断した後も、弁体２３は二次圧Ｐ′の付勢力を受けて一次側へ移動する。この結果、二次側水道配管の内部空間の体積が増加し、二次圧Ｐ′が前記遮断時よりも低下する。この結果、二次側水道配管の応力状態が緩和される。
弁座３０の凸に湾曲した座面３０ａの損傷を防止するために、図１０に示すように、弁体２３の開放端の内周部を面取り加工するのが望ましい。
【００１４】
本発明の第６実施例を説明する。図１１、図１２（ａ）、（ｂ）に示すように、減圧弁Ｆにおいては、弁座２１に代えて凸に湾曲した座面３１ａと平坦な座面３１ｂとを有する弁座３１が配設されている。弁座３１の湾曲した座面３１ａは、弁体２３の開放端の内周部と水密に当接可能であり、平坦な座面３１ｂは弁体２３の開放端の端面と水密に当接可能である。弁座２１に代えて弁座３１を配設した点を除いて、減圧弁Ｆの構成は減圧弁Ａの構成と同様である。減圧弁Ｆは、水道配管１００を構成するケーシング内に予め組み込まれている。当該ケーシングは、他の水道配管に接続されて水道配管の一部を形成する。
弁座３１が、弁体２３の開放端の内周部に水密に当接可能であり、且つ弁体２３開放端の端面に当接可能である場合には、弁体２３の開放端が弁座３１に当接すると水道配管１００の一次側と二次側とが確実に遮断され、二次圧Ｐ′が確実に所定値に維持される。凸に湾曲した座面３１ａが劣化して当該座面のシール機能が低下した場合でも、平坦な座面３１ｂにより水道配管１００の一次側と二次側とを遮断することができる。
【００１５】
本発明の第７実施例を説明する。図１３、図１４（ａ）、（ｂ）に示すように、減圧弁Ｇにおいては、弁座２１に代えて、弁体２３の開放端の内周部に水密に当接する弁座３２を備えている。弁座３２の弁体２３開放端との当接部は、弁体２３の開放端から遠ざかる方向へ向けて径方向外方へ傾斜している。弁座２１に代えて弁座３２を配設した点を除いて、減圧弁Ｇの構成は減圧弁Ａの構成と同様である。減圧弁Ｇは、水道配管１００を構成するケーシング内に予め組み込まれている。当該ケーシングは、他の水道配管に接続されて水道配管の一部を形成する。
弁体２３の開放端が弁座３２に当接すると、弁体２３開放端の内周部エッジ２３ｃが弁座３２の傾斜面３２ａに食い込む。この結果、水道配管１００の一次側と二次側とが遮断された状態で、一次圧Ｐが弁体２３開放端の端面２３ｂに作用する事態の発生が確実に阻止され、前記遮断を維持するのに必要な二次圧Ｐ′が確実に低くなる。
弁座３２の傾斜した座面３２ａの損傷を防止するために、図１４に示すように、弁体２３の開放端の内周部を面取り加工するのが望ましい。面取り部の傾斜角は、内周部エッジ２３ｃを弁体端部の他の部位よりも先に座面３２ａに喰い込ませるために、座面３２ａの傾斜角度よりも浅い方が望ましい。具体的な角度としては、弁体２３端面の面取り部の傾斜角度は３０°、座面３２ａの傾斜角度は６０°が好適である。
【００１６】
本発明の第８実施例を説明する。図１５〜図１７に示すように、減圧弁Ｈにおいては、弁受け部材２５に代えて、弁体２３に相対摺動可能に外嵌合する有底筒体から成る弁受け部材３３が配設されている。弁受け部材３３の閉鎖端３３ａと弁体２３の閉鎖端２３ａとの間に感圧室３４が形成されている。弁受け部材２５に代えて弁受け部材３３が配設されている点を除き、減圧弁Ｈの構成は減圧弁Ｆの構成と同様である。減圧弁Ｈは、水道配管を構成する図示しないケーシング内に予め組み込まれている。当該ケーシングは、他の水道配管に接続されて水道配管の一部を形成する。
減圧弁Ｈにおいては、二次側の水道配管内の水が、弁受け部材３３の筒部と弁体２３の筒部との摺接部Ｓを介して感圧室３４へ流入し、弁体２３の閉鎖端２３ａに付勢力を印加する。二次側  の水道配管に配設された開閉弁の閉鎖により二次圧Ｐ′が急増しても、摺接部Ｓの圧損により感圧室３４の内圧は急増せず、当該内圧が弁体２３の閉鎖端２３ａに印加する付勢力は急増せず、弁支持部材１９に形成された通水路１９ｃは急激には閉鎖されない。従って、二次側に配設された開閉弁の閉鎖時に、一次側に水撃作用が発生するおそれは無い。
弁受け部材３３の筒部が弁体２３の筒部に相対摺動可能に外嵌合しているので、感圧室３４の体積が大きく、感圧室３４の体積と摺接部Ｓを流れる水の流量との比（感圧部３４の体積／摺接部Ｓを流れる水の流量）が大きい。従って、感圧室３４の内圧上昇速度は低く、当該内圧が弁体２３の閉鎖端２３ａに印加する付勢力の増加速度は低く、弁支持部材１９に形成された通水路１９ｃの閉鎖速度は低い。この結果、二次側に配設された開閉弁が閉鎖される際の一次側での水撃作用の発生が更に効果的に抑制される。
【００１７】
本発明の第９実施例を説明する。図１８に示すように、減圧弁Ｉにおいては、弁体２３の弁受け部材３３との嵌合部２３ｄは、弁体２３の他の部位に比べて小径に形成されている。上記を除き減圧弁Ｉの構成は減圧弁Ｈの構成と同様である。減圧弁Ｉは、水道配管１００を構成するケーシング内に予め組み込まれている。当該ケーシングは、他の水道配管に接続されて水道配管の一部を形成する。
弁体２３の弁受け部材３３との嵌合部２３ｄが弁体２３の他の部位に比べて小径に形成されているので、弁体２３の筒部と弁受け部材３３の筒部との摺接部Ｓの端部Ｓ′は一次側へ向かずに、径方向外方へ向いている。従って、一次側から二次側へ通水されている時に、動圧を有する水流が、通水路１０１から摺接部Ｓを通って感圧室３４へ流入する事態は発生し難い。この結果、一次側から二次側へ通水したい時に、感圧室３４の内圧が増加して弁体２３の開放端が弁座３１に接近し、通水の流量が低下する事態の発生が防止される。弁体２３が閉位置から開位置へ移動する際に、感圧室３４内の水が通水路１０１へ流出する。前記摺接部Ｓの端部Ｓ′が一次側へ向いていないので、感圧室３４から通水路１０１へ流出する水は、通水路１０１を一次側から二次側へ流れる水流によって妨げられない。従って、弁体２３の開弁動作は妨げられない。
【００１８】
本発明の第１０実施例を説明する。図１９に示すように、減圧弁Ｊにおいては、弁受け部材３３に代えて開放端に外フランジ３５ａが形成された有底筒状の弁受け部材３５を備えている。弁受け部材３５の筒部は弁体２３の閉鎖端２３ａに形成された凹部２３ｅに相対摺動可能に内嵌合している。上記諸点を除き、減圧弁Ｊの構成は減圧弁Ｈの構成と同様である。減圧弁Ｊは、水道配管１００を構成するケーシング内に予め組み込まれている。当該ケーシングは、他の水道配管に接続されて水道配管の一部を形成する。
弁受け部材３５の筒部と弁体２３の凹部２３ｅとの摺接部Ｓの端部Ｓ′は二次側へ向いているので、一次側から二次側へ通水されている時に、動圧を有する水流が、通水路１０１から摺接部Ｓを通って感圧室３４へ流入する事態は発生し難い。この結果、一次側から二次側へ通水したい時に、感圧室３４の内圧が増加して弁体２３の開放端が弁座３１に接近し、通水の流量が低下する事態の発生が防止される。弁体２３が閉位置から開位置へ移動する際に、感圧室３４内の水が通水路１０１へ流出する。感圧室３４から通水路１０１へ流出する水は、一次側へ差し向けられていないので、通水路１０１を一次側から二次側へ流れる水流によって妨げられない。従って、弁体２３の開弁動作は妨げられない。
【００１９】
本発明の第１１実施例を説明する。図２０〜２２に示すように、減圧弁Ｋにおいては、弁受け部材３３の筒部と弁体２３の筒部との摺接部Ｓに、螺旋状の切り欠き３６ａ、直線状の切り欠き３６ｂ等の切り欠きを有するリング３６が配設されている。リング３６は弁体２３の筒部外周面に形成された周溝に収容され、自らの弾性力により弁受け部材３３の筒部内周面に摺接している。弁体２３内にバネ３７が配設され、弁体２３の内部空間を大気開放する通路３８が弁支持部材１９に形成されている。上記諸点を除いて、減圧弁Ｋの構成は減圧弁Ｉの構成と同様である。減圧弁Ｋは、水道配管１００を構成するケーシング内に予め組み込まれている。当該ケーシングは、他の水道配管に接続されて水道配管の一部を形成する。前記ケーシングには、通路３８に連通する貫通穴が形成されている。
減圧弁Ｋにおいては、リング３６の切り欠きのみを通って二次側の水道配管１００内の水が感圧室３４へ流入する。従って、リング３６の切り欠き３６ａ、３６ｂを精度良く形成すれば、感圧室３４の内圧上昇速度を確実に低減させることができ、二次側に配設された開閉弁の閉鎖時に、一次側に水撃作用が発生するのを確実に防止することができる。従って、弁受け部材３３の筒部と弁体２３の筒部との摺接部Ｓの隙間を高精度に形成する必要が無くなる。弁受け部材３３の筒部と弁体２３の筒部との摺接部Ｓの隙間を高精度に形成する手間に比べて、リング３６の切り欠き３６ａ、３６ｂを精度良く形成する手間は遥かに少ない。従って、減圧弁Ｋの加工性が向上する。螺旋状の切り欠き３６ａは直線状の切り欠き３６ｂよりも流路長が大きく圧損が大きいので、感圧室３４の内圧上昇速度を直線状の切り欠き３６ｂよりも低減させることができる。直線状の切り欠き３６ｂは加工が容易である。
【００２０】
本発明の第１２実施例を説明する。図２３に示すように、減圧弁Ｌにおいては、弁受け部材３３の筒部と弁体２３の筒部との摺接部Ｓに、円環状のシール部材３９が配設され、弁受け部材３３の弁体閉鎖端２３ａに対峙する部位に小径穴３３ｂが形成されている。上記諸点を除いて、減圧弁Ｌの構成は減圧弁Ｉの構成と同様である。減圧弁Ｌは、水道配管１００を構成するケーシング内に予め組み込まれている。当該ケーシングは、他の水道配管に接続されて水道配管の一部を形成する。
減圧弁Ｌにおいては、小径穴３３ｂのみを通って二次側の水道配管１００内の水が感圧室３４へ流入する。従って、小径穴３３ｂを精度良く形成すれば、感圧室３４の内圧上昇速度を確実に低減させることができ、二次側に配設された開閉弁の閉鎖時に、一次側に水撃作用が発生するのを確実に防止することができる。従って、弁受け部材３３の筒部と弁体２３との摺接部Ｓの隙間を高精度に形成する必要が無くなる。弁受け部材３３の筒部と弁体２３の筒部との摺接部Ｓの隙間を高精度に形成する手間に比べて、小径穴３３ｂを精度良く形成する手間は遥かに少ない。従って、減圧弁Ｌの加工性が向上する。シール部材３９の配設により、弁体２３の弁座３１への接近動作、離隔動作に対する摺動抵抗が増加するが、シール部材３９の径が小さくシール部材３９と弁受け部材３３との摺接面積は小さいので、一次圧Ｐと二次圧Ｐ′との相関におけるヒステリシスの発生は、従来の減圧弁に比べると抑制されている。
【００２１】
減圧弁Ｅ〜Ｌにおいては、弁体２３の開放端の内周部を弁座に当接させたが、弁体２３の開放端の外周部を弁座に当接させても良い。配管１００の一次側と二次側とが遮断された瞬間には、弁体２３の開放端の端面に一次圧が作用しているが、弁体２３の移動が継続すると前記端面には一次圧は作用しなくなる。上記点を除いて、弁体２３の開放端の内周部を弁座に当接させる場合と同様の効果が得られる。弁体２３をステンレス製にすれば、筒部が薄くなるので、弁体２３の開放端の端面に作用する一次圧が減少する。
図２４に示すように、弁支持部材１９を単一の径を有する円柱としても良い。
図２５に示すように、通水路１９ｃを大径円柱部１９ａのみに形成しても良い。
減圧弁Ｋにおいて、階段状の切り欠きをリング３６に形成しても良い。切り欠きの流路長が増加し、圧損が増加する。
減圧弁Ｌにおいて、小径穴３３ｂを形成する部位は、図２３に示す部位に限定されない。感圧室３４に連通可能で且つシール部材３９に当接しない部位であれば、どこでも良い。
弁座２１、３０、３１、３２はゴム等の弾性素材で形成するのが望ましい。弁体２３はステンレス等の高強度且つ強耐食性の素材で形成するのが望ましい。
減圧弁Ａ〜Ｄにおいて、弁体２３開放端の端面を内周縁へ向けてテーパーさせても良い。端面内周部が端面外周部よりも先に弁座２1に当接するので、配管１００の一次側と二次側とが遮断された瞬間から弁体２３の開放端の端面に一次圧が作用しなくなる。この結果、前記遮断を維持するのに必要な二次圧を低くすることができる。
【図面の簡単な説明】
【００２２】
【図１】従来の減圧弁の開弁時の断面図である。
【図２】従来の減圧弁の開弁時の断面図である。
【図３】従来の減圧弁における一次圧と二次圧との相関図である。
【図４】本発明の第１実施と第２実施例とに係る減圧弁の開弁時の断面図である。
【図５】本発明の第１実施と第２実施例とに係る減圧弁の閉弁時の断面図である。
【図６】本発明の第３実施例に係る減圧弁の開弁時の断面図である。
【図７】本発明の第４実施例に係る減圧弁の開弁時の断面図である。
【図８】本発明の第１実施例に係る減圧弁を用いたシャワー装置の断面図である。
【図９】本発明の第５実施例に係る減圧弁の開弁時の断面図である。
【図１０】本発明の第５実施例に係る減圧弁の閉弁途上時と弁閉弁時の部分断面図である。
【図１１】本発明の第６実施例に係る減圧弁の開弁時の断面図である。
【図１２】本発明の第６実施例に係る減圧弁の閉弁途上時と閉弁時の部分断面図である。
【図１３】本発明の第７実施例に係る減圧弁の開弁時の断面図である。
【図１４】本発明の第７実施例に係る減圧弁の閉弁途上時と閉弁時の部分断面図である。
【図１５】本発明の第８実施例に係る減圧弁の開弁時の断面図である。
【図１６】本発明の第８実施例に係る減圧弁の開弁時の側面図である。
【図１７】本発明の第８実施例に係る減圧弁の閉弁途上時の断面図である。
【図１８】本発明の第９実施例に係る減圧弁の開弁時の断面図である。
【図１９】本発明の第１０実施例に係る減圧弁の開弁時の断面図である。
【図２０】本発明の第１１実施例に係る減圧弁の開弁時の断面図である。
【図２１】本発明の第１１実施例に係る減圧弁が備えるリングの斜視図である。
【図２２】本発明の第１１実施例に係る減圧弁が備えるリングの斜視図である。
【図２３】本発明の第１２実施例に係る減圧弁の開弁時の断面図である。
【図２４】本発明の他の実施例に係る減圧弁の開弁時の断面図である。
【図２５】本発明の他の実施例に係る減圧弁の開弁時の断面図である。
【図１】
0003651488.tif 000002
【図２】
0003651488.tif 000003
【図３】
0003651488.tif 000004
【図４】
0003651488.tif 000005
【図５】
0003651488.tif 000006
【図６】
0003651488.tif 000007
【図７】
0003651488.tif 000008
【図８】
0003651488.tif 000009
【図９】
0003651488.tif 000010
【図１０】
0003651488.tif 000011
【図１１】
0003651488.tif 000012
【図１２】
0003651488.tif 000013
【図１３】
0003651488.tif 000014
【図１４】
0003651488.tif 000015
【図１５】
0003651488.tif 000016
【図１６】
0003651488.tif 000017
【図１７】
0003651488.tif 000018
【図１８】
0003651488.tif 000019
【図１９】
0003651488.tif 000020
【図２０】
0003651488.tif 000021
【図２１】
0003651488.tif 000022
【図２２】
0003651488.tif 000023
【図２３】
0003651488.tif 000024
【図２４】
0003651488.tif 000025
【図２５】
0003651488.tif 000026